(57)【要約】　　　（修正有）【課題】大容量コンテンツの利用可能日時直後のダウンロードによるネットワークの負荷を低減して転送先端末に対するトラフィックを低減する。【解決手段】コンテンツの転送元端末４において、暗号化したコンテンツを暗号化データと復号化カギに分割し、コンテンツの利用可能日時と関連付けて記憶し、分割された暗号化データはコンテンツの利用可能日時前に転送元端末４からネットワークを介して転送先端末１にダウンロードし、復号化カギの方はコンテンツの利用可能日時以降に転送先端末１からダウンロード要求して暗号化データを利用可能日時以降に復号化することにより、コンテンツ利用可能日時直後の転送元端末４から転送先端末１に対するトラフィックを減少させることができる。【選択図】　図１
2004112555.tif 000002
【特許請求の範囲】
【請求項１】
暗号化したコンテンツを暗号化データと復号化カギに分割し、前記暗号化データと前記復号化カギと前記コンテンツの利用可能日時とを関連付けて記憶する転送元端末と、前記暗号化データは前記利用可能日時前に前記転送元端末からネットワークを介してダウンロードし、前記復号化カギを前記利用可能日時以降にダウンロード要求して前記暗号化データを復号化する転送先端末とを備えることを特徴とするダウンロードシステム。
【請求項２】
コンテンツを送信する転送元端末と、前記コンテンツを受信する転送先端末とを備え、前記転送元端末は、暗号化した前記コンテンツを暗号化データと復号化カギとに分割する暗号化手段と、前記暗号化データと前記復号化カギと前記コンテンツの利用可能日時とを関連付けて記憶するデータカギ利用可能日時記憶手段と、前記利用可能日時以前に前記コンテンツのダウンロード要求を受けて前記データカギ利用可能日時記憶手段に記憶されている暗号化データをネットワークを介して前記転送先端末に送信するデータ送信手段と、前記転送先端末から送信された転送先端末識別情報を記憶する識別情報記憶手段と、暗号化データの送信済みの転送先端末から受信した識別情報を前記識別情報記憶手段に記憶されている転送先端末識別情報と照合して、合致した転送先端末に対しては暗号化データを送信済みであると判断する判断手段と、前記転送先端末から前記利用許可日時以降に接続され、前記判断手段により暗号化データを転送済みと判断されたときには、前記コンテンツの復号化カギを前記転送先端末に送信する復号化カギ送信手段とを有し、
前記転送先端末は、自己の識別情報を前記ネットワークを介して前記転送元端末へ送信する識別情報送信手段と、前記転送元端末から送信された暗号化データを記憶するデータ記憶手段と、前記転送元端末から送信された前記コンテンツの復号化カギにより前記データ記憶手段に記憶された暗号化データを復号化する復号化手段とを有することを特徴とするダウンロードシステム。
【請求項３】
前記転送元端末は、前記転送先端末から前記コンテンツのダウンロード要求を受信したときに前記転送先端末の電子メールアドレスを受信する電子メールアドレス受信手段と、受信した電子メールアドレスを記憶する電子メールアドレス記憶手段とを備え、前記利用可能日時以降に、記憶している電子メールアドレスに対し前記コンテンツの復号化カギを自動的に送信することを特徴とする請求項２記載のダウンロードシステム。
【請求項４】
コンテンツを送信する転送元端末と、前記コンテンツを受信する転送先端末と、現在の日時情報を前記転送先端末へ送信する送信手段を有する日時取得端末とを備え、前記転送元端末は、前記コンテンツを前記コンテンツの利用許可日時以降の日時情報を復号化カギとする暗号化データに暗号化する暗号化手段と、前記暗号化データを記憶する暗号化データ記憶手段と、前記転送先端末からの利用可能日時以前のコンテンツのダウンロード要求を受けて前記暗号化データ記憶手段に記憶された暗号化データをネットワークを介して前記転送先端末へ送信するデータ送信手段とを有し、
前記転送先端末は、前記転送元端末から送信された暗号化データを記憶するデータ記憶手段と、前記日時取得端末から取得した現在の日時情報が前記コンテンツの利用許可日時以降である場合には、前記日時情報を復号化カギとして前記暗号化データを復号化する復号化手段とを有することを特徴とするダウンロードシステム。
【請求項５】
前記転送先端末に対し自己の識別情報と前記転送元端末からの前記転送先端末に対するコンテンツのダウンロード要求とを送信する端末識別情報及びダウンロード要求送信手段を有する遠隔操作端末を備え、
前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記遠隔操作端末から受信した識別情報が記憶している識別情報と一致すると判断した場合、前記遠隔操作端末からのコンテンツのダウンロード要求に対し、前記転送元端末に自動的に接続して、前記転送元端末から暗号化データのダウンロード処理を実行するダウンロード実行手段とを有することを特徴とする請求項２ないし４のいずれかに記載のダウンロードシステム。
【請求項６】
前記転送先端末に対し自己の識別情報と前記転送元端末からの前記転送先端末に対するコンテンツのダウンロード要求とを送信する端末識別情報及びダウンロード要求送信手段を有する遠隔操作端末を備え、
前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記遠隔操作端末から受信した識別情報が記憶している識別情報と一致すると判断した場合、前記遠隔操作端末からの復号化カギのダウンロード要求に対し、前記転送元端末に自動的に接続して、前記転送元端末から復号化カギのダウンロード処理を実行するダウンロード実行手段とを有することを特徴とする請求項２ないし４のいずれかに記載のダウンロードシステム。
【請求項７】
前記転送先端末に対し、自己の識別情報と過去のダウンロード情報確認要求を送信する端末識別情報及びダウンロード確認要求送信手段と、前記転送先端末から送信された過去のダウンロード情報に基づき、前記転送先端末に対し蓄積されているダウンロード情報の整理を指示するダウンロード情報整理指示手段とを有する遠隔操作端末を備え、
前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記転送先端末からのダウンロード情報確認要求を受けて、ダウンロード情報を前記遠隔操作端末へ送信するダウンロード情報送信手段と、前記転送先端末からの前記ダウンロード情報の整理の指示を受けて、前記ダウンロード情報を整理するダウンロード情報整理手段とを有することを特徴とする請求項２ないし４のいずれかに記載のダウンロードシステム。
【請求項８】
前記転送元端末に対し、前記転送先端末の識別情報と前記転送元端末から前記転送先端末へのコンテンツのダウンロード要求とを送信する転送先端末識別情報及びダウンロード要求送信手段を有する遠隔操作端末を備え、
前記転送元端末は、前記遠隔操作端末から送信した前記転送先端末の識別情報を前記転送元端末に記憶している前記転送先端末の識別情報と照合する暗号化データ送信判断手段と、前記照合において前記遠隔操作端末からの識別情報が前記転送先端末に記憶していた識別情報と一致すると判断した場合、前記遠隔操作端末からのコンテンツのダウンロード要求に従い前記転送先端末に対し暗号化データを送信するデータ送信手段を有することを特徴とする請求項２ないし４のいずれかに記載のダウンロードシステム。
【請求項９】
前記転送元端末に対し、前記転送先端末の識別情報と前記転送元端末から前記転送先端末へのコンテンツのダウンロード要求とを送信する転送先端末識別情報及びダウンロード要求送信手段を有する遠隔操作端末を備え、
前記転送元端末は、前記遠隔操作端末から送信した前記転送先端末の識別情報を前記転送元端末に記憶している前記転送先端末の識別情報と照合する暗号化データ送信判断手段と、前記照合において前記遠隔操作端末からの識別情報が前記転送先端末に記憶していた識別情報と一致すると判断した場合、前記遠隔操作端末からの復号化カギのダウンロード要求に従い前記転送先端末に対し復号化カギを送信するデータ送信手段を有することを特徴とする請求項２ないし４のいずれかに記載のダウンロードシステム。
【請求項１０】
転送元端末において、予め利用許可日時以前のコンテンツを暗号化して、暗号化データと復号化カギに分割するステップを有し、
転送先端末において、前記転送元端末に対し利用許可日時以前のコンテンツのダウンロード要求と、前記転送先端末の識別情報とを送信するステップを有し、前記転送元端末において、前記転送先端末に対し暗号化データを送信するステップと、前記転送先端末から送信された転送先端末識別情報と、送信した暗号化データの暗号化データ識別情報とを関連付けて記憶するステップとを有し、
前記転送先端末において、前記転送元端末から送信された暗号化データを蓄積するステップを有し、
前記転送先端末において、前記コンテンツの利用許可日時以降に前記転送元端末に対し前記転送先端末識別情報を送信するステップと、前記転送先端末から送信された識別情報と記憶している転送先端末識別情報とを照合して、前記転送先端末が暗号化データを受信済みであることを判断するステップとを有し、
前記転送元端末において、前記転送先端末から前記利用許可日時以降に接続され、前記転送先端末へは暗号化データを転送済みと判断された場合には、前記コンテンツの復号化カギを送信するステップを有し、
前記転送先端末において、既に記憶している暗号化データを、前記転送元端末から送信された復号化カギを利用して復号化処理を行い、前記コンテンツを利用可能にするステップを有することを特徴とするダウンロード方法。
【請求項１１】
前記転送元端末において、前記転送先端末から利用許可日時以前のコンテンツのダウンロード要求を受信したときに、前記転送先端末に対し復号化カギを送信する電子メールアドレスも受信するステップと、前記転送先端末から受信した電子メールアドレスを記憶するステップと、前記利用許可日時以降に、記憶している電子メールアドレスへ自動的に前記復号化カギを送信するステップとを有することを特徴とする請求項１０記載のダウンロード方法。
【請求項１２】
転送元端末において、予め利用許可日時以前のコンテンツを暗号化して、前記利用許可日時以降の日時情報を復号化カギとする暗号化データを生成するステップと、前記転送先端末から利用許可日時以前のコンテンツのダウンロード要求を受けた場合には、前記転送先端末へ暗号化データを送信するステップとを有し、
前記転送先端末において、前記転送元端末から受信した暗号化データを蓄積するステップを有し、
日時取得端末から前記転送先端末へ正確な現在日時情報を送信するステップを有し、
前記転送先端末において、前記利用許可日以降に前記日時取得端末から正確な日時を取得するステップと、前記日時取得端末から得た現在日時情報が、前記利用許可日時以降である場合には、前記日時情報を前記復号化カギとして自動的に前記暗号化データの復号化を実行するステップとを有することを特徴とするダウンロード方法。
【請求項１３】
前記転送先端末において、予め遠隔操作を許可する前記遠隔操作端末の識別情報を記憶するステップを有し、
前記遠隔操作端末において、前記転送先端末に対し、前記遠隔操作端末の識別情報と前記転送元端末から前記転送先端末に対するコンテンツのダウンロード要求とを送信するステップを有し、
前記転送先端末において、前記遠隔操作端末から送信された前記遠隔操作端末識別情報と前記転送先端末に記憶している前記遠隔操作端末の識別情報とを照合するステップと、前記照合の結果、前記遠隔操作端末から送信された識別情報が前記転送先端末に記憶している識別情報と一致すると判断された場合は、前記遠隔操作端末からの前記コンテンツのダウンロード要求に従い、自動的に前記転送元端末に接続して前記コンテンツの暗号化データをダウンロードするステップとを有することを特徴とする請求項１０ないし１２のいずれかに記載のダウンロード方法。
【請求項１４】
前記転送先端末において、予め遠隔操作を許可する前記遠隔操作端末の識別情報を記憶するステップを有し、
前記遠隔操作端末において、前記転送先端末に対し、前記遠隔操作端末の識別情報と前記転送元端末から前記転送先端末に対する復号化カギのダウンロード要求とを送信するステップを有し、
前記転送先端末において、前記遠隔操作端末から送信された前記遠隔操作端末識別情報と前記転送先端末に記憶している前記遠隔操作端末の識別情報とを照合するステップと、前記照合の結果、前記遠隔操作端末から送信された識別情報が前記転送先端末に記憶している識別情報と一致すると判断された場合は、前記遠隔操作端末からの前記復号化カギのダウンロード要求に従い、自動的に前記転送元端末に接続して前記復号化カギをダウンロードするステップとを有することを特徴とする請求項１０ないし１２のいずれかに記載のダウンロード方法。
【請求項１５】
前記転送先端末において、予め遠隔操作を許可する前記遠隔操作端末の識別情報を記憶するステップを有し、
前記遠隔操作端末において、前記転送先端末に対し、前記遠隔操作端末の識別情報と過去のダウンロード情報確認要求とを送信するステップを有し、
前記転送先端末において、前記遠隔操作端末から送信された識別情報と前記転送先端末に記憶している前記遠隔操作端末の識別情報とを照合するステップと、前記遠隔操作端末からの前記ダウンロード情報確認要求に基づくダウンロード情報を前記遠隔操作端末へ送信するステップとを有し、
前記遠隔操作端末において、前記転送先端末から送信された前記過去のダウンロード情報に基づき、前記転送先端末に対し蓄積されているダウンロード情報の整理を指示するステップを有し、
前記転送先端末において、前記遠隔操作端末からの指示に従い前記ダウンロード情報を整理するステップを有することを特徴とする請求項１０ないし１２のいずれかに記載のダウンロード方法。
【請求項１６】
前記転送元端末において、予め遠隔操作を許可する遠隔操作端末の識別情報を記憶するステップを有し、
前記遠隔操作端末において、前記転送元端末に対し前記転送先端末の識別情報と前記転送元端末から前記転送先端末へのコンテンツのダウンロード要求とを送信するステップを有し、
前記転送元端末において、前記遠隔操作端末から送信された前記転送先端末の識別情報と前記転送元端末に記憶している前記転送先端末の識別情報とを照合するステップと、前記照合の結果、前記遠隔操作端末から送信された識別情報が前記転送元端末に記憶している前記転送先端末の識別情報と一致すると判断された場合は、前記遠隔操作端末からの前記コンテンツのダウンロード要求に従い、前記転送先端末に対し前記コンテンツの暗号化データを送信するステップとを有することを特徴とする請求項１０ないし１２のいずれかに記載のダウンロード方法。
【請求項１７】
前記転送元端末において、予め遠隔操作を許可する前記遠隔操作端末の識別情報を記憶するステップを有し、
前記遠隔操作端末から前記転送元端末に対し前記転送先端末の識別情報と前記転送元端末から前記転送先端末への復号化カギのダウンロード要求とを送信するステップを有し、
前記転送元端末において、前記遠隔操作端末から送信された前記転送先端末の識別情報と前記転送元端末に記憶している前記転送先端末の識別情報とを照合するステップと、前記照合の結果、前記遠隔操作端末から送信された識別情報が前記転送元端末に記憶している前記転送先端末の識別情報と一致すると判断された場合は、前記遠隔操作端末からの前記復号化カギのダウンロード要求に従い、前記転送先端末に対し前記復号化カギを送信するステップとを有することを特徴とする請求項１０ないし１２のいずれかに記載のダウンロード方法。
【請求項１８】
請求項１０ないし１７のいずれかに記載の転送先端末において処理されるステップをコンピュータに実行させるためのプログラムを記録したコンピュータ読み取り可能な記録媒体。
【請求項１９】
請求項１０ないし１７のいずれかに記載の転送元端末において処理されるステップをコンピュータに実行させるためのプログラムを記録したコンピュータ読み取り可能な記録媒体。
【請求項２０】
請求項１０ないし１７のいずれかに記載の遠隔操作端末において処理されるステップをコンピュータに実行させるためのプログラムを記録したコンピュータ読み取り可能な記録媒体。
【発明の詳細な説明】
【０００１】
【発明の属する技術分野】
本発明は、安全かつ効率的なコンテンツのダウンロードシステム及びダウンロード方法に関するものである。
【０００２】
【従来の技術】
本願発明に関連する従来のダウンロード方法としては、図２２に示すような通信型音楽選曲販売システムが開示されている。
図２２に示す従来の通信型音楽選曲販売システムは、サーバとして情報の配信センター３１０を備え、この配信センター３１０は、レコード製作会社３０２や広告会社３０３から音楽等のコンテンツや広告の情報を受け取る。配信センター３１０は、通信回線網３２０を介して端末装置である複数の店頭販売機３３０または自動販売機４３０に接続される。店頭販売機３３０又は自動販売機４３０はデイスプレイ３３２、ＭＤドライバー３３４や磁気テープヘツド等を備える。デイスプレイ３３２はタツチパネルを備え、ユーザが入力した指令を配信センター３１０へ送ることができる。また、ユーザが選曲した音楽ソフトをＭＤドライバー３３４内のメデイアにダウンロードして課金する（例えば、特許文献１参照。）。
【０００３】
また、本願発明に関連する従来のダウンロード方法の例としては、図２３に示すようなソフトウエアのロードシステム及びロード方法が開示されている。
図２３に示す従来のダウンロード方法は、第一の暗号鍵に関する情報を出力する第一の計算機と、ネツトワークを介して第一の計算機に接続され、第一の暗号鍵に関する情報が入力され、自己が有するソフトウエアの一部を第一の暗号鍵で暗号化し（Ｓ６０２）、第一の暗号鍵で暗号化したソフトウエアの一部を第一の計算機に出力し（Ｓ６０３）、ソフトウエアの他の部分を第一の計算機に送信する（Ｓ６０６）サーバとを備える。第一の計算機は、第一の暗号鍵で暗号化したソフトウエアの一部が入力されると、第一の暗号鍵で暗号化したソフトウエアの一部を、第一の暗号鍵に対応する第一の復号鍵で復号化し、またサーバから入力したソフトウエアの他の部分とこの復号化したソフトウエアの一部とを連結させてロードする（例えば、特許文献２参照。）。
【０００４】
さらに、本願発明に関連する従来のダウンロード方法の他の例としては、図２４に示すようなデータの転送方法及びその転送方法を利用したコンテンツ販売システムによるデータ転送方法及びそのデータを記録した記録媒体が開示されている。
図２４に示す従来のコンテンツ販売システムは、音楽などのコンテンツデータをホストが提供して販売元設置端末７０５やインターネツトなどのネツトワークを介してユーザ側のプレーヤ７０６ａ、７０６ｂに対して転送（ダウンロード）するコンテンツ販売システムであり、早いタイミングでの再生が要求されるコンテンツデータと、そこまでの要求がないヘツダ情報との暗号化方式を異なるものとし、コンテンツデータの方を復号化に時間を要しない暗号化方式とし、再生鍵情報等を格納するヘツダ情報の方を復号化に時間を要する複雑な暗号化方式にする（例えば、特許文献３参照。）。
【０００５】
【特許文献１】
特開平１１−１２０６９３号公報（第２頁、段落番号５〜６、１７行、図３）
【特許文献２】
特開平１１−１４３７０６号公報（第５頁、段落番号１０、１４行、図６）
【特許文献３】
特開２０００−３４１２６６号公報（第３頁、段落番号７〜９、５０行、図１）
【０００６】
【発明が解決しようとする課題】
しかしながら、上記従来のダウンロード方法においては、いずれも必要時にコンテンツ全体をダウンロードするために、人気のある大容量コンテンツの場合は発売日時（利用可能日時）直後にダウンロードするネットワークの負荷が高まり、また、利用可能日時直後に、ダウンロード先の端末から配信センターへのトラフィックが増大するという問題があった。
また、上記従来のダウンロード方法においては、転送先端末以外の端末からでは、転送先端末に対するダウンロード指示ができないという問題があった。
また、上記従来のダウンロード方法においては、転送先端末以外の端末からでは、転送先端末でのダウンロード情報の確認ができないという問題があった。
また、上記従来のダウンロード方法においては、転送先端末以外の端末からでは、転送元端末に対するダウンロード指示ができないという問題があった。
また、上記従来のダウンロード方法においては、特定の端末以外の端末では、ダウンロードができないという問題があった。
【０００７】
本発明は、上記従来の問題を解決するためになされたもので、大容量コンテンツの利用可能日時直後のダウンロードによるネットワークの負荷を低減し、転送先端末から転送元端末へのアクセスを低減するとともに、転送先端末以外の端末からでも転送先端末または転送元端末に対しダウンロード指示ができるダウンロードシステム及び方法を提供するものである。
【０００８】
【課題を解決するための手段】
本発明におけるダウンロードシステムは、暗号化したコンテンツを暗号化データと復号化カギに分割し、前記暗号化データと前記復号化カギと前記コンテンツの利用可能日時とを関連付けて記憶する転送元端末と、前記暗号化データは前記利用可能日時前に前記転送元端末からネットワークを介してダウンロードし、前記復号化カギを前記利用可能日時以降にダウンロード要求して前記暗号化データを復号化する転送先端末とを備えるという構成を有している。この構成により、利用可能日時以前に予め大容量の暗号化データをダウンロードしておき、利用可能日時以降に小容量の復号化カギをダウンロードさせるようにしたことにより、人気のある大容量コンテンツでも、利用可能日時直後のネットワーク負荷を低減することができる。
【０００９】
本発明におけるダウンロードシステムは、コンテンツを送信する転送元端末と、前記コンテンツを受信する転送先端末とを備え、前記転送元端末は、暗号化した前記コンテンツを暗号化データと復号化カギとに分割する暗号化手段と、前記暗号化データと前記復号化カギと前記コンテンツの利用可能日時とを関連付けて記憶するデータカギ利用可能日時記憶手段と、前記利用可能日時以前に前記コンテンツのダウンロード要求を受けて前記データカギ利用可能日時記憶手段に記憶されている暗号化データをネットワークを介して前記転送先端末に送信するデータ送信手段と、前記転送先端末から送信された転送先端末識別情報を記憶する識別情報記憶手段と、暗号化データの送信済みの転送先端末から受信した識別情報を前記識別情報記憶手段に記憶されている転送先端末識別情報と照合して、合致した転送先端末に対しては暗号化データを送信済みであると判断する判断手段と、前記転送先端末から前記利用許可日時以降に接続され、前記判断手段により暗号化データを転送済みと判断されたときには、前記コンテンツの復号化カギを前記転送先端末に送信する復号化カギ送信手段とを有し、前記転送先端末は、自己の識別情報を前記ネットワークを介して前記転送元端末へ送信する識別情報送信手段と、前記転送元端末から送信された暗号化データを記憶するデータ記憶手段と、前記転送元端末から送信された前記コンテンツの復号化カギにより前記データ記憶手段に記憶された暗号化データを復号化する復号化手段とを有するという構成を有している。この構成により、利用可能日時以前の大容量コンテンツを予め大容量の暗号化データと小容量の復号化カギに分割し、利用可能日時以前に大容量の暗号化データをダウンロードさせ、利用可能日時以降に小容量の復号化カギをダウンロードさせるようにすることで、人気のある大容量コンテンツでも、利用可能日時直後のネットワーク負荷を低減することができる。
【００１０】
本発明におけるダウンロードシステムは、前記転送元端末が、前記転送先端末から前記コンテンツのダウンロード要求を受信したときに前記転送先端末の電子メールアドレスを受信する電子メールアドレス受信手段と、受信した電子メールアドレスを記憶する電子メールアドレス記憶手段とを備え、前記利用可能日時以降に、記憶している電子メールアドレスに対し前記コンテンツの復号化カギを自動的に送信するという構成を有している。この構成により、復号化カギを利用可能日時以降に電子メールで配信することにより、利用可能日時直後の転送先端末から転送元端末へのアクセスを低減することが可能である。
【００１１】
本発明におけるダウンロードシステムは、コンテンツを送信する転送元端末と、前記コンテンツを受信する転送先端末と、現在の日時情報を前記転送先端末へ送信する送信手段を有する日時取得端末とを備え、前記転送元端末は、前記コンテンツを前記コンテンツの利用許可日時以降の日時情報を復号化カギとする暗号化データに暗号化する暗号化手段、前記暗号化データを記憶する暗号化データ記憶手段と、前記転送先端末からの利用可能日時以前のコンテンツのダウンロード要求を受けて前記暗号化データ記憶手段に記憶された暗号化データをネットワークを介して前記転送先端末へ送信するデータ送信手段とを有し、前記転送先端末は、前記転送元端末から送信された暗号化データを記憶するデータ記憶手段と、前記日時取得端末から取得した現在の日時情報が前記コンテンツの利用許可日時以降である場合には、前記日時情報を復号化カギとして前記暗号化データを復号化する復号化手段とを有するという構成を有している。この構成により、利用可能日時以前に、コンテンツを暗号化データの形で転送先端末へダウンロードし、利用可能日時以降に、日時確認手段から日時情報を取得して、その日時情報が利用可能日時以降である場合には、日時情報を復号化カギとして暗号化データの復号化を許可することにより、利用可能日時以降では転送元端末へ接続しなくともコンテンツを復号化することができるので、利用可能日時以降に転送先端末から転送元端末に対するアクセスを低減することができる。
【００１２】
本発明におけるダウンロードシステムは、前記転送先端末に対し自己の識別情報と前記転送元端末からの前記転送先端末に対するコンテンツのダウンロード要求とを送信する端末識別情報及びダウンロード要求送信手段を有する遠隔操作端末を備え、前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記遠隔操作端末から受信した識別情報が記憶している識別情報と一致すると判断した場合、前記遠隔操作端末からのコンテンツのダウンロード要求に対し、前記転送元端末に自動的に接続して、前記転送元端末から暗号化データのダウンロード処理を実行するダウンロード実行手段とを有するという構成を有している。この構成により、転送先端末以外の遠隔操作端末から転送先端末に接続して、転送先端末に暗号化データのダウンロード指示を送り、転送先端末ではその指示を受けて転送元端末からの暗号化データのダウンロードを実行することにより、転送先端末以外の端末からでも、転送元端末から転送先端末への暗号化データのダウンロードを実行させることが可能である。
【００１３】
本発明におけるダウンロードシステムは、前記転送先端末に対し自己の識別情報と前記転送元端末からの前記転送先端末に対するコンテンツのダウンロード要求とを送信する端末識別情報及びダウンロード要求送信手段を有する遠隔操作端末を備え、前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記遠隔操作端末から受信した識別情報が記憶している識別情報と一致すると判断した場合、前記遠隔操作端末からの復号化カギのダウンロード要求に対し、前記転送元端末に自動的に接続して、前記転送元端末から復号化カギのダウンロード処理を実行するダウンロード実行手段とを有するという構成を有している。この構成により、転送先端末以外の遠隔操作端末から転送先端末に接続して、転送先端末に復号化カギのダウンロード指示を送り、転送先端末ではその指示を受けて転送元端末からの復号化カギのダウンロードを実行することにより、転送先端末以外の端末からでも、転送元端末から転送先端末への復号化カギのダウンロードを実行させることが可能である。
【００１４】
本発明におけるダウンロードシステムは、前記転送先端末に対し、自己の識別情報と過去のダウンロード情報確認要求を送信する端末識別情報及びダウンロード確認要求送信手段と、前記転送先端末から送信された過去のダウンロード情報に基づき、前記転送先端末に対し蓄積されているダウンロード情報の整理を指示するダウンロード情報整理指示手段とを有する遠隔操作端末を備え、前記転送先端末は、予め遠隔操作を許可する前記遠隔操作端末の識別情報を記憶する遠隔端末識別情報記憶手段と、前記遠隔操作端末から受信した識別情報を前記遠隔端末識別情報記憶手段に記憶している識別情報と照合する遠隔操作端末照合手段と、前記転送先端末からのダウンロード情報確認要求を受けて、ダウンロード情報を前記遠隔操作端末へ送信するダウンロード情報送信手段と、前記転送先端末からの前記ダウンロード情報の整理の指示を受けて、前記ダウンロード情報を整理するダウンロード情報整理手段とを有するという構成を有している。この構成により、転送先端末以外の遠隔操作端末から転送先端末に接続して、転送先端末にダウンロード情報提供指示を送り、転送先端末ではその指示を受けて遠隔操作端末へダウンロード情報を提供することにより、転送先端末以外の端末からでも、転送先端末のダウンロード情報を確認することが可能である。
【００１５】
本発明におけるダウンロードシステムは、前記転送元端末に対し、前記転送先端末の識別情報と前記転送元端末から前記転送先端末へのコンテンツのダウンロード要求とを送信する転送先端末識別情報及びダウンロード要求送信手段を有する遠隔操作端末を備え、前記転送元端末は、前記遠隔操作端末から送信した前記転送先端末の識別情報を前記転送元端末に記憶している前記転送先端末の識別情報と照合する暗号化データ送信判断手段と、前記照合において前記遠隔操作端末からの識別情報が前記転送先端末に記憶していた識別情報と一致すると判断した場合、前記遠隔操作端末からのコンテンツのダウンロード要求に従い前記転送先端末に対し暗号化データを送信するデータ送信手段を有するという構成を有している。この構成により、転送先端末以外の遠隔操作端末から転送元端末に接続して、転送先端末への暗号化データのダウンロード指示を送り、転送元端末ではその指示を受けて転送元端末から転送先端末への暗号化データのダウンロードを実行することにより、転送先端末にアクセスできない転送先端末以外の端末からでも、転送元端末から転送先端末への暗号化データのダウンロードを実行させることが可能である。
【００１６】
本発明におけるダウンロードシステムは、前記転送元端末に対し、前記転送先端末の識別情報と前記転送元端末から前記転送先端末へのコンテンツのダウンロード要求とを送信する転送先端末識別情報及びダウンロード要求送信手段を有する遠隔操作端末を備え、前記転送元端末は、前記遠隔操作端末から送信した前記転送先端末の識別情報を前記転送元端末に記憶している前記転送先端末の識別情報と照合する暗号化データ送信判断手段と、前記照合において前記遠隔操作端末からの識別情報が前記転送先端末に記憶していた識別情報と一致すると判断した場合、前記遠隔操作端末からの復号化カギのダウンロード要求に従い前記転送先端末に対し復号化カギを送信するデータ送信手段を有するという構成を有している。この構成により、転送先端末以外の遠隔操作端末から転送元端末に接続して、転送先端末への復号化カギのダウンロード指示を送り、転送元端末では、その指示を受けて転送元端末から転送先端末への復号化カギのダウンロードを実行することにより、転送先端末にアクセスできない転送先端末以外の端末からでも、転送元端末から転送先端末への復号化カギのダウンロードを実行させることが可能である。
【００１７】
本発明におけるダウンロード方法は、転送元端末において、予め利用許可日時以前のコンテンツを暗号化して、暗号化データと復号化カギに分割するステップを有し、転送先端末において、前記転送元端末に対し利用許可日時以前のコンテンツのダウンロード要求と、前記転送先端末の識別情報とを送信するステップを有し、前記転送元端末において、前記転送先端末に対し暗号化データを送信するステップと、前記転送先端末から送信された転送先端末識別情報と、送信した暗号化データの暗号化データ識別情報とを関連付けて記憶するステップとを有し、前記転送先端末において、前記転送元端末から送信された暗号化データを蓄積するステップを有し、前記転送先端末において、前記コンテンツの利用許可日時以降に前記転送元端末に対し前記転送先端末識別情報を送信するステップと、前記転送先端末から送信された識別情報と記憶している転送先端末識別情報とを照合して、前記転送先端末が暗号化データを受信済みであることを判断するステップとを有し、前記転送元端末において、前記転送先端末から前記利用許可日時以降に接続され、前記転送先端末へは暗号化データを転送済みと判断された場合には、前記コンテンツの復号化カギを送信するステップを有し、前記転送先端末において、既に記憶している暗号化データを、前記転送元端末から送信された復号化カギを利用して復号化処理を行い、前記コンテンツを利用可能にするステップを有するという構成を有している。この構成により、利用可能日時以前の大容量コンテンツを予め大容量の暗号化データと小容量の復号化カギに分割し、利用可能日時以前に大容量の暗号化データをダウンロードさせ、利用可能日時以降に小容量の復号化カギをダウンロードさせるようにすることで、人気のある大容量コンテンツでも、利用可能日時直後のネットワーク負荷を低減することが可能である。
【００１８】
本発明におけるダウンロード方法は、前記転送元端末において、前記転送先端末から利用許可日時以前のコンテンツのダウンロード要求を受信したときに、前記転送先端末に対し復号化カギを送信する電子メールアドレスも受信するステップと、前記転送先端末から受信した電子メールアドレスを記憶するステップと、前記利用許可日時以降に、記憶している電子メールアドレスへ自動的に前記復号化カギを送信するステップとを有するという構成を有している。この構成により、復号化カギを利用可能日時以降に電子メールで配信することにより、利用可能日時直後の前記転送先端末から前記転送元端末へのアクセスを低減することが可能である。
【００１９】
本発明におけるダウンロード方法は、転送元端末において、予め利用許可日時以前のコンテンツを暗号化して、前記コンテンツの利用許可日時以降の日時情報を復号化カギとする暗号化データを生成するステップと、前記転送先端末から利用許可日時以前のコンテンツのダウンロード要求を受けた場合には、前記転送先端末へ暗号化データを送信するステップとを有し、前記転送先端末において、前記転送元端末から受信した暗号化データを蓄積するステップを有し、日時取得端末から前記転送先端末へ正確な現在日時情報を送信するステップを有し、前記転送先端末において、前記利用許可日以降に前記日時取得端末から正確な日時を取得するステップと、前記日時取得端末から得た現在日時情報が、前記利用許可日時以降である場合には、前記日時情報を前記復号化カギとして自動的に前記暗号化データの復号化を実行するステップとを有するという構成を有している。この構成により、利用可能日時以前に、コンテンツを暗号化データの形で転送先端末へダウンロードし、利用可能日時以降に、日時確認手段から日時情報を取得して、その日時情報が利用可能日時以降である場合には、日時情報を復号化カギとして暗号化データの復号化を許可することにより、利用可能日時以降には転送元端末へ接続しなくてもコンテンツを復号化することが可能である。
【００２０】
本発明におけるダウンロード方法は、前記転送先端末において、予め遠隔操作を許可する前記遠隔操作端末の識別情報を記憶するステップを有し、前記遠隔操作端末において、前記転送先端末に対し、前記遠隔操作端末の識別情報と前記転送元端末から前記転送先端末に対するコンテンツのダウンロード要求とを送信するステップを有し、前記転送先端末において、前記遠隔操作端末から送信された前記遠隔操作端末識別情報と前記転送先端末に記憶している前記遠隔操作端末の識別情報とを照合するステップと、前記照合の結果、前記遠隔操作端末から送信された識別情報が前記転送先端末に記憶している識別情報と一致すると判断された場合は、前記遠隔操作端末からの前記コンテンツのダウンロード要求に従い、自動的に前記転送元端末に接続して前記コンテンツの暗号化データをダウンロードするステップとを有するという構成を有している。この構成により、転送先端末以外の遠隔操作端末から転送先端末に接続して、転送先端末に暗号化データのダウンロード指示を送り、転送先端末ではその指示を受けて転送元端末からの暗号化データのダウンロードを実行することにより、転送先端末以外の端末からでも、転送元端末から転送先端末への暗号化データのダウンロードを実行させることが可能である。
【００２１】
本発明におけるダウンロード方法は、前記転送先端末において、予め前記遠隔操作を許可する遠隔操作端末の識別情報を記憶するステップを有し、前記遠隔操作端末において、前記転送先端末に対し、前記遠隔操作端末の識別情報と前記転送元端末から前記転送先端末に対する復号化カギのダウンロード要求とを送信するステップを有し、前記転送先端末において、前記遠隔操作端末から送信された前記遠隔操作端末識別情報と前記転送先端末に記憶している前記遠隔操作端末の識別情報とを照合するステップと、前記照合の結果、前記遠隔操作端末から送信された識別情報が前記転送先端末に記憶している識別情報と一致すると判断された場合は、前記遠隔操作端末からの前記復号化カギのダウンロード要求に従い、自動的に前記転送元端末に接続して前記復号化カギをダウンロードするステップとを有するという構成を有している。この構成により、転送先端末以外の遠隔操作端末から転送先端末に接続して、転送先端末に復号化カギのダウンロード指示を送り、転送先端末ではその指示を受けて転送元端末からの復号化カギのダウンロードを実行することにより、転送先端末以外の端末からでも、転送元端末から転送先端末への復号化カギのダウンロードを実行させることが可能である。
【００２２】
本発明におけるダウンロード方法は、前記転送先端末において、予め遠隔操作を許可する前記遠隔操作端末の識別情報を記憶するステップを有し、前記遠隔操作端末において、前記転送先端末に対し、前記遠隔操作端末の識別情報と過去のダウンロード情報確認要求とを送信するステップを有し、前記転送先端末において、前記遠隔操作端末から送信された識別情報と前記転送先端末に記憶している前記遠隔操作端末の識別情報とを照合するステップと、前記遠隔操作端末からの前記ダウンロード情報確認要求に基づくダウンロード情報を前記遠隔操作端末へ送信するステップとを有し、前記遠隔操作端末において、前記転送先端末から送信された前記過去のダウンロード情報に基づき、前記転送先端末に対し蓄積されているダウンロード情報の整理を指示するステップを有し、前記転送先端末において、前記遠隔操作端末からの指示に従い前記ダウンロード情報を整理するステップを有するという構成を有している。この構成により、転送先端末以外の遠隔操作端末から転送先端末に接続して、転送先端末にダウンロード情報提供指示を送り、転送先端末ではその指示を受けて遠隔操作端末へダウンロード情報を提供することにより、転送先端末以外の端末からでも、転送先端末のダウンロード情報を確認することが可能である。
【００２３】
本発明におけるダウンロード方法は、前記転送元端末において、予め遠隔操作を許可する遠隔操作端末の識別情報を記憶するステップを有し、前記遠隔操作端末において、前記転送元端末に対し前記転送先端末の識別情報と前記転送元端末から前記転送先端末へのコンテンツのダウンロード要求とを送信するステップを有し、前記転送元端末において、前記遠隔操作端末から送信された前記転送先端末の識別情報と前記転送元端末に記憶している前記転送先端末の識別情報とを照合するステップと、前記照合の結果、前記遠隔操作端末から送信された識別情報が前記転送元端末に記憶している前記転送先端末の識別情報と一致すると判断された場合は、前記遠隔操作端末からの前記コンテンツのダウンロード要求に従い、前記転送先端末に対し前記コンテンツの暗号化データを送信するステップとを有するという構成を有している。この構成により、転送先端末以外の遠隔操作端末から転送元端末に接続して、転送先端末への暗号化データのダウンロード指示を送り、転送元端末ではその指示を受けて転送元端末から転送先端末への暗号化データのダウンロードを実行することにより、転送先端末にアクセスできない転送先端末以外の端末からでも、転送元端末から転送先端末への暗号化データのダウンロードを実行させることが可能である。
【００２４】
本発明におけるダウンロード方法は、前記転送元端末において、予め遠隔操作を許可する前記遠隔操作端末の識別情報を記憶するステップを有し、前記遠隔操作端末から前記転送元端末に対し前記転送先端末の識別情報と前記転送元端末から前記転送先端末への復号化カギのダウンロード要求とを送信するステップを有し、前記転送元端末において、前記遠隔操作端末から送信された前記転送先端末の識別情報と前記転送元端末に記憶している前記転送先端末の識別情報とを照合するステップと、前記照合の結果、前記遠隔操作端末から送信された識別情報が前記転送元端末に記憶している前記転送先端末の識別情報と一致すると判断された場合は、前記遠隔操作端末からの前記復号化カギのダウンロード要求に従い、前記転送先端末に対し前記復号化カギを送信するステップとを有するという構成を有している。この構成により、転送先端末以外の遠隔操作端末から転送元端末に接続して、転送先端末への復号化カギのダウンロード指示を送り、転送元端末ではその指示を受けて転送元端末から転送先端末への復号化カギのダウンロードを実行することにより、転送先端末にアクセスできない転送先端末以外の端末からでも、転送元端末から転送先端末への復号化カギのダウンロードを実行させることが可能である。
【００２５】
本発明における記録媒体は、請求項１０ないし１７のいずれかに記載の転送先端末において処理されるステップをコンピュータに実行させるためのプログラムを記録したという構成を有している。この構成により、本ダウンロード方法をプログラム化し、記録媒体に記録して持ち運びできるようにしたことにより、本実施の形態におけるダウンロード方法を特定の端末以外の転送先端末でも、実施することができることとなる。
【００２６】
本発明における記録媒体は、請求項１０ないし１７のいずれかに記載の転送元端末において処理されるステップをコンピュータに実行させるためのプログラムを記録したという構成を有している。この構成により、本ダウンロード方法をプログラム化し、記録媒体に記録して持ち運びできるようにしたことにより、本実施の形態におけるダウンロード方法を特定の端末以外の転送元端末でも、実施することができることとなる。
【００２７】
本発明における記録媒体は、請求項１０ないし１７のいずれかに記載の遠隔操作端末において処理されるステップをコンピュータに実行させるためのプログラムを記録したという構成を有している。この構成により、本ダウンロード方法をプログラム化し、記録媒体に記録して持ち運びできるようにしたことにより、本実施の形態におけるダウンロード方法を特定の端末以外の遠隔操作端末でも、実施することができることとなる。
【００２８】
【発明の実施の形態】
以下、添付図面に基づき、本発明の第１ないし第６の実施の形態を詳細に説明する。
（第１の実施の形態）
まず、図１を参照して、本発明の第１の実施の形態におけるダウンロードシステムの構成を説明する。図１に示すダウンロードシステムは、ダウンロードされたコンテンツを蓄積しコンテンツの復号化を行う転送先端末１と、転送先端末１をインターネットに接続するためのインターネットサービスプロバイダのサーバ２と、インターネットサービスプロバイダのサーバ２と転送元端末４とを接続しているインターネット網３と、コンテンツをダウンロードして蓄積し、コンテンツの暗号化や暗号化されたコンテンツの配信を行う転送元端末４とを備えている。
【００２９】
次に、図２を参照して、本発明の第１の実施の形態におけるダウンロードシステムの１要素を構成する転送元端末４の構成を説明する。図２に示す転送元端末４は、半導体メモリやハードディスク等が記憶媒体として使用され、コンテンツ及びその利用日時を記憶するコンテンツ及び利用可能日時記憶手段１０１と、コンテンツを暗号化し、暗号化データと復号化カギに分割する第１の暗号化手段１０２と、暗号化データと復号化カギを利用可能日時と関連付けて（例えば、暗号化データ及び復号化カギに利用可能日時を付すか、暗号化データ及び復号化カギを利用可能日時とともに記憶するなど、以下同じ）記憶するデータカギ利用可能日時記憶手段としての暗号化データ及び復号化カギと利用可能日時関連記憶手段１０３と、　転送元端末４とインターネット網３を接続してデータのやり取りを行う第１のネットワーク接続手段１０４と、転送先端末１から送信された転送先端末１の識別情報を記憶する識別情報記憶手段１０５と、コンテンツの利用可能日時をチェックし、利用可能日時以前のコンテンツの場合は、暗号化データ及び復号化カギと利用可能日時関連記憶手段１０３に記憶された暗号化データを送信し、利用可能日時以降の場合はコンテンツ及び利用可能日時記憶手段１０１に記憶されたコンテンツを送信するデータ送信手段１０６と、暗号化データ送信済みの転送先端末１から送られてきた転送先端末１の識別情報が、識別情報記憶手段１０５に記憶されている識別情報と一致するか否かを判断する暗号化データ送信判断手段１０７と、暗号化データ送信判断手段１０７において、識別情報記憶手段１０５に記憶されている識別情報と転送先端末１の識別情報とが一致していると判断された場合は、復号化カギを転送先端末１に送信する復号化カギ送信手段１０８とを備えて構成される。
【００３０】
次に、図３を参照して、本発明の第１の実施の形態におけるダウンロードシステムの１要素を構成する転送先端末１の構成を説明する。図３に示す転送先端末１は、インターネット網３へ接続してデータのやり取りを行う第２のネットワーク接続手段１１１と、転送先端末１の識別情報を記憶し、ネットワーク接続手段１１１を経由して送信する識別情報送信手段１１２と、転送元端末４から送られてきたコンテンツあるいは暗号化データを記憶し、復号化手段１１４で復号化されたコンテンツを記憶するデータ記憶手段１１３とを備えて構成される。
【００３１】
次に、図４を参照して、本発明の第１の実施の形態におけるダウンロードシステムのダウンロード動作を説明する。
転送元端末４において、予めコンテンツとその利用可能日時をコンテンツ及び利用可能日時記憶手段１０１に記憶しておき、また、利用日時以前のコンテンツについては、第１の暗号化手段１０２でコンテンツを暗号化し、暗号化されたデータと、暗号化されたデータを復号化する復号化カギの２つのデータに分割し、コンテンツの利用可能日時と関連付けて、暗号化データ及び復号化カギと利用可能日時関連記憶手段１０３に記憶する（ステップＳ１１、以下ステップの文字は省略する）。なお、暗号化方法はどのようなものでも構わず、例えば、自己解凍形式でコンテンツを圧縮するが、解凍時には転送元端末側で設定したパスワードを入力しないと解凍できない仕掛けを組み込むというものが挙げられる。この場合は、パスワードが復号化カギとなる。
転送先端末１では、第２のネットワーク接続手段１１１を用いてインターネット網３に接続し、コンテンツをダウンロードする要求と、識別情報送信手段１１２に記憶されている転送先端末１の識別情報としてのＩＤ及びパスワードとを転送元端末４に対して送信する（Ｓ１２）。
【００３２】
なお、ダウンロード要求を送信する方法はどのようなものでも構わないが、例えば、インターネットプロバイダのサーバ２とインターネット網３を経由して、インターネットで転送元端末４のｗｅｂサイトに接続し、転送先端末１ではｗｅｂ画面を見て、ダウンロードしたいコンテンツを選択するというものが挙げられる。
なお、ＩＤもどのようなものでも構わず、他の転送先端末と区別が可能であればよい。ＩＤは、暗号化データをダウンロードした本人であることを証明する情報であり、後で復号化カギをダウンロードするときに、本人であることを識別するために用いる。例えば、クレジットカード番号を入力するというものが挙げられる。なお、クレジットカード番号を入力させる場合には、クレジットカード番号を課金情報としても利用することができる。なお、パスワードもどのようなものでも構わず、他の転送先端末のユーザが容易に見破れないものであれば良く、例えば複数の数字及びアルファベット文字等で構成された文字列を入力させる方法などがある。
【００３３】
次に、転送元端末４では、第１のネットワーク接続手段１０４を経由して届けられた転送先端末１からのコンテンツのダウンロード要求を受けて、データ送信手段１０６により、暗号化データ及び復号化カギと利用可能日時関連記憶手段１０３に記憶された情報を用いて、要求されたコンテンツの利用日時チェックを実施し、かつダウンロード要求されたコンテンツのＩＤと、転送先端末１のＩＤ及びパスワード（識別情報、以下同じ）を識別情報記憶手段１０５に記憶する（Ｓ１３）。
【００３４】
次に、転送元端末４では、データ送信手段１０６による利用可能日時チェックにおいて、利用可能日時以前と判定された場合は、暗号化されたデータを転送先端末１にダウンロード（転送）し、利用可能日時以降と判定された場合は、コンテンツそのものを転送先端末１にダウンロードする（Ｓ１４）。なお、暗号化データまたはコンテンツの転送はダウンロード要求を受けた直後でなくても良く、好きな時にダウンロードできるようにするようにしても構わない。
次に、転送先端末１では、ダウンロードされた暗号化データまたはコンテンツを転送先端末１のデータ記憶手段１１３に蓄積する（Ｓ１５）。なお、データ記憶手段１１３はどのようなものでも構わず、例えば、ハードディスク、半導体メモリが挙げられる。
コンテンツの利用可能日以降、転送先端末１は転送元端末４に接続して、識別情報送信手段１１２に記憶された識別情報を送信する（Ｓ１６）。
【００３５】
次に、転送元端末４では、暗号化データ送信判断手段１０７において、転送先端末１のＩＤ及びパスワードを確認し、識別情報記憶手段１０５に記憶されている転送先端末１のＩＤ及びパスワードと一致する場合には、暗号化データ送信済みと判定されるため、コンテンツに対応する復号化カギを選択して（Ｓ１７）、復号化カギ送信手段１０８から復号化カギを転送先端末１に送信する（Ｓ１８）。
転送先端末１では、転送元端末４から転送された復号化カギを用いて、既にデータ記憶手段１１３に蓄積されている暗号化データを復号化手段１１４で復号化してコンテンツを復元する（Ｓ１９）。これにより、コンテンツが利用できるようになる。
上記のように、本発明の第１の実施の形態によると、利用可能日時以前の大容量コンテンツを予め大容量の暗号化データと小容量の復号化カギに分割し、利用可能日時以前に大容量の暗号化データをダウンロードし、利用可能日時以降には小容量の復号化カギをダウンロードするようにしたことにより、人気のある大容量コンテンツでも、利用可能日時直後のネットワーク負荷を低減することができる。
【００３６】
（第２の実施の形態）
まず、図５ないし図７を参照して、本発明の第２の実施の形態におけるダウンロードシステムの構成を説明する。
図５ないし図７において、転送先端末１、インターネットサービスプロバイダのサーバ２、インターネット網３、転送元端末４、コンテンツ及び利用可能日時記憶手段１０１、第１の暗号化手段１０２、暗号化データ及び復号化カギと利用可能日時関連記憶手段１０３、第１のネットワーク接続手段１０４、データ送信手段１０６、第２のネットワーク接続手段１１１、識別情報送信手段１１２、データ記憶手段１１３、復号化手段１１４は第１の実施の形態のものと同一であるから説明を省略する。
本実施の形態における新たな構成要素として、
図６に示す転送元端末４は、転送先端末１から送信された電子メールアドレスを受信する電子メールアドレス受信手段１２１と、転送先端末１から送信された電子メールアドレスを記憶する電子メールアドレス記憶手段１２２と、暗号化データ及び復号化カギと利用可能日時関連記憶手段１０３に記憶されている、利用可能日時を越えたコンテンツについては、電子メールアドレス記憶手段１２２に記憶されている電子メールアドレスへ復号化カギを送信するメールアドレス及びカギ送信手段としての電子メールアドレス及び暗号化カギ送信手段１２３とを備える。
また、図６に示す転送先端末１は、転送先端末１の電子メールアドレスを転送元端末４に対し送信する電子メールアドレス送信手段１１５を備えて構成される。
【００３７】
次に、図８を参照して、本発明の第２の実施の形態におけるダウンロードシステムのダウンロード動作を説明する。
転送元端末４において、予めコンテンツとその利用可能日時をコンテンツ及び利用可能日時記憶手段１０１に記憶しておき、また、利用日時以前のコンテンツについては、第１の暗号化手段１０２で暗号化し、暗号化されたデータを、暗号化データと暗号化データを復号化する復号化カギの２つのデータに分割し、コンテンツの利用可能日時と関連付けて、暗号化データ及び復号化カギと利用可能日時関連記憶手段１０３に記憶する（Ｓ２１）。
転送先端末１では、第２のネットワーク接続手段１１１によりインターネット網３に接続して転送元端末４に対し、コンテンツをダウンロードする要求を送信し、電子メールアドレス送信手段１１５から自己の電子メールアドレスを通知する（Ｓ２２）。
【００３８】
転送先端末１からのコンテンツのダウンロード要求を受けた転送元端末４では、第１のネットワーク接続手段１０４を経由して届けられた転送先端末１からのコンテンツのダウンロード要求に従い、暗号化データ及び復号化カギと利用可能日時関連記憶手段１０３に記憶した情報を用いて、要求されたコンテンツの利用可能日時チェックを実施し、電子メールアドレス受信手段１２１により転送先端末１から送信された電子メールアドレスを受信して、電子メールアドレス記憶手段１２２に記憶し（Ｓ２３）、データ送信手段１０６によるそのコンテンツの利用可能日時チェックにおいて、利用可能日時以前と判定された場合には、データ送信手段１０６により、暗号化データを転送先端末１にダウンロードし（Ｓ２４）、転送先端末１では、そのデータ記憶手段１１３に対して、暗号化データを蓄積する（Ｓ２５）。
【００３９】
転送元端末４は、利用可能日時以降になると、電子メールアドレス記憶手段１２２に記憶されている転送先端末１の電子メールアドレスを選択し（Ｓ２６）、電子メールアドレス及び復号化カギ送信手段１２３から選択した電子メールアドレスへ復号化カギを送信する（Ｓ２７）。
転送先端末１では、電子メールを利用して復号化カギを取得し、復号化カギを用いて既にデータ記憶手段１１３に蓄積されている暗号化データを復号化手段１１４で復号化し、コンテンツを復元する（Ｓ２８）。これでコンテンツが利用できるようになる。
【００４０】
上記のように、本発明の第２の実施の形態によると、暗号化データを利用可能日時以前に転送先端末１に送信し記憶しておき、利用可能日時に復号化カギのみを電子メールで転送先端末１に配信することにより、利用可能日時直後の転送先端末１から転送元端末４へのアクセスを低減することができる。
【００４１】
（第３の実施の形態）
次に、図９ないし図１１を参照して、本発明の第３の実施の形態におけるダウンロードシステムの構成を説明する。
図９ないし図１１において、転送先端末１、インターネットサービスプロバイダのサーバ２、インターネット網３、転送元端末４、コンテンツ及び利用可能日時記憶手段１０１、第１のネットワーク接続手段１０４、データ送信手段１０６、第２のネットワーク接続手段１１１、データ記憶手段１１３、復号化手段１１４は第１の実施の形態のものと同一であるから説明を省略する。
本実施の形態における新たな構成要素として、
図９に示すダウンロードシステムは、転送先端末１から接続可能であり、他の端末からでも接続可能で、正確な日時を取得できる日時取得端末７を有する。
また、図１０に示す転送元端末４は、コンテンツの利用可能日時を復号化カギとして暗号化を行う第２の暗号化手段１３１と、第２の暗号化手段１３１で暗号化された暗号化データを記憶する暗号化データ記憶手段１３２とを有する。
また、図１１に示す転送先端末１は、日時取得端末７に接続して現在の日時情報を取得する日時取得端末接続手段１３３を有する。
【００４２】
次に、図１２を参照して、本発明の第３の実施の形態におけるダウンロードシステムのダウンロード動作を説明する。
転送元端末４には、予めコンテンツとその利用可能日時をコンテンツ及び利用可能日時記憶手段１０１に記憶しておき、また、利用日時以前のコンテンツについては、第２の暗号化手段１３１でコンテンツを暗号化して暗号化データを生成し、復号化カギを分割して暗号化データ記憶手段１３２に記憶する（Ｓ３１）。復号化カギは、利用可能日時以降の日時情報とし、後述する日時取得端末７から得られた日時情報が利用可能日時以降である場合は、自動的に復号化を実行することができる。
【００４３】
転送先端末１は、第２のネットワーク接続手段１１１によりインターネット網３に接続して、転送元端末４に対し希望するコンテンツをダウンロードする要求を送信する（Ｓ３２）。転送元端末４は、転送先端末１から第１のネットワーク接続手段１０４を経由して届けられたコンテンツのダウンロード要求を受けて、暗号化データ及び復号化カギと利用可能日時関連記憶手段１０３に記憶されている情報を用いて、要求されたコンテンツの利用可能日時をチェックし（Ｓ３３）、利用可能日時以前の場合は、第２の暗号化手段１３１により要求されたコンテンツを暗号化して暗号化データを生成し、データ送信手段１０６により、暗号化データを転送先端末１にダウンロードする（Ｓ３４）。
【００４４】
次に、転送先端末１は、転送された暗号化データまたはコンテンツをデータ記憶手段１１３に蓄積する（Ｓ３５）。
転送先端末１は、利用可能日時以降、日時取得端末接続手段１３３から通信衛星等の日時取得端末７に接続して（Ｓ３６）、日時取得端末７から現在の日時情報を取得し（Ｓ３７）、取得した時間情報が利用可能日時以降の場合は、データ記憶手段１１３に蓄積されている暗号化データを復号化手段１１４で自動的に復号化してコンテンツを復元する（Ｓ３８）。これでコンテンツが利用できることになる。
なお、復号化方法の例としては、暗号化データを実行ファイル化しておき、ダウンロード時に転送先端末１に暗号化データの一部をアプリケーションとして常駐させ、利用可能日時になると自動的にアプリケーションを実行して、日時取得端末からの日時情報取得処理及び自動復号化処理を行わせる方法や、別のアプリケーションに暗号化データを管理させておき、日時取得端末７から取得した日時情報が利用可能日時以降である場合は、アプリケーションが自動的に暗号化データを復号化するという方法がある。また、日時情報の取得方法は，電波時計のように、日時取得端末７への接続を必要としない、日時取得端末７から常時発信される現在日時情報を取得する方法でも構わない。
【００４５】
上記のように、本発明の第３の実施の形態によると、利用可能日時以前に、コンテンツを暗号化データの形で転送先端末１へダウンロードし、利用可能日時以降に、日時取得端末７のような日時確認手段から日時情報を取得して、その日時情報が利用可能日時以降である場合には、暗号化データの復号化を許可することにより、利用可能日時以降に転送元端末４へ接続しなくても希望するコンテンツを利用することができることになる。
【００４６】
（第４の実施の形態）
次に、図１３及び図１４を参照して、本発明の第４の実施の形態におけるダウンロードシステムの構成を説明する。
図１３及び図１４において、転送先端末１、インターネットサービスプロバイダのサーバ２、インターネット網３、転送元端末４、コンテンツ及び利用可能日時記憶手段１０１、第１の暗号化手段１０２、暗号化データ及び復号化カギと利用可能日時関連記憶手段１０３、識別情報記憶手段１０５、データ送信手段１０６、暗号化データ送信判断手段１０７、復号化カギ送信手段１０８、第２のネットワーク接続手段１１１、識別情報送信手段１１２、データ記憶手段１１３、復号化手段１１４は第１の実施の形態のものと同一であるから説明を省略する。
本実施の形態における新たな構成要素として、
図１３に示すダウンロードシステムは、転送先端末１に接続して転送先端末１に自動的に処理を実行させることができる遠隔操作端末５を有する。
図１４に示す遠隔操作端末５は、遠隔操作端末５の端末識別情報と転送元端末４から転送先端末１に対するダウンロード要求を送信する端末識別情報及びダウンロード要求送信手段１４１を有する。
また、図１４に示す転送先端末１は、転送先端末１へのアクセスを許可する遠隔操作端末の識別情報を記憶する遠隔端末識別情報記憶手段１４２と、遠隔操作端末５から送られてきた遠隔操作端末５の識別情報と、遠隔端末識別情報記憶手段１４２に記憶されている遠隔操作端末識別情報とを照合し、遠隔操作端末５からの識別情報と遠隔操作端末識別情報とが一致した場合は、遠隔操作端末５から転送先端末１に対するアクセスを許可する遠隔操作端末照合手段１４３と、遠隔操作端末１４３によりアクセスが許可されたダウンロード実行手段１４４とを有する。
【００４７】
次に、図１５を参照して、本発明の第４の実施の形態におけるダウンロードシステムのダウンロード動作を説明する。
転送元端末４は、予めコンテンツとその利用可能日時をコンテンツ及び利用可能日時記憶手段１０１に記憶しておき、また、利用日時以前のコンテンツについては、第１の暗号化手段１０２でコンテンツを暗号化して暗号化データとし、暗号化データと、暗号化データを復号化する復号化カギの２つのデータに分割して、コンテンツの利用可能日時と関連付け、暗号化データ及び復号化カギ利用可能日時関連記憶手段１０３に記憶する（Ｓ４１）。
【００４８】
転送先端末１では、遠隔端末識別情報記憶手段１４２に対し、遠隔操作を許可する遠隔操作端末５のＩＤ及びパスワードを予め登録しておく（Ｓ４２）。
遠隔操作端末５は、端末識別情報及びダウンロード要求送信手段１４１から、転送先端末１に対して、遠隔操作端末５のＩＤ及びパスワードを転送して、コンテンツのダウンロード指示を出す（Ｓ４３）。
転送先端末１では、遠隔操作端末照合手段１４３において、端末識別情報及びダウンロード要求送信手段１４１から送信したＩＤ及びパスワードと、遠隔端末識別情報記憶手段１４２に記憶されているＩＤ及びパスワードとを照合して、照合が取れた場合はコンテンツダウンロード指示を受付ける（Ｓ４４）。
ＩＤ及びパスワードの照合が取れた転送先端末１では自動的に、ダウンロード実行手段１４４から、転送元端末４に対して、コンテンツをダウンロードする要求を出す（Ｓ４５）。
【００４９】
転送先端末１からのコンテンツのダウンロード要求を受けた転送元端末４では、第１のネットワーク接続手段１０４を経由して届けられた転送先端末１からのコンテンツのダウンロード要求を受けて、暗号化データ及びカギ利用可能日時関連記憶手段１０３に記憶されている情報を用いて、要求されたコンテンツの利用日時チェックを実施し、かつダウンロード要求されたコンテンツのＩＤと、転送先端末のＩＤ及びパスワードを識別情報記憶手段１０５に記憶し（Ｓ４６）、利用可能日時チェックで利用可能日時以前と判定された場合は、データ送信手段１０６により、暗号化されたデータを転送先端末１にダウンロードし、利用可能日時以降と判定された場合には、コンテンツそのものを転送先端末１にダウンロードする（Ｓ４７）。
【００５０】
次に、転送先端末１では、データ記憶手段１１３に対し転送された暗号化データを蓄積する（Ｓ４８）。
利用可能日時以降、転送先端末１は転送元端末４に接続して、識別情報送信手段１１２に記憶された転送先端末１のＩＤ及びパスワードを送信し（Ｓ４９）、転送元端末４では転送先端末１のＩＤ及びパスワードを確認して、識別情報記憶手段１０５に記憶されている転送先端末１のＩＤ及びパスワードと一致する場合は、暗号化データ送信済みと判定されるため、暗号化データに対応する復号化カギを選択し（Ｓ５０）、復号化カギ送信手段１０８から復号化カギを転送先端末１にダウンロードする（Ｓ５１）。
転送先端末１では、転送元端末４から転送された復号化カギを用いて、既にデータ記憶手段１１３に蓄積されている暗号化データを復号化手段１１４で復号化してコンテンツを復元する（Ｓ５２）。これでコンテンツが利用できるようになる。
【００５１】
上記のように、本発明の第４の実施の形態によると、転送先端末以外の遠隔操作端末から転送先端末に接続して、転送先端末にダウンロード指示を送り、転送先端末ではその指示を受けて転送元端末からのダウンロードを実行することにより、転送先端末以外の端末からでも、転送元端末から転送先端末へのダウンロードを実行させることが可能である。
【００５２】
（第５の実施の形態）
次に、図１６及び図１７を参照して、本発明の第５の実施の形態におけるダウンロードシステムの構成を説明する。
図１６及び図１７において、転送先端末１、インターネットサービスプロバイダのサーバ２、インターネット網３、転送元端末４、遠隔操作端末５、ネットワーク接続手段１１１、識別情報送信手段１１２、データ記憶手段１１３、復号化手段１１４は第１の実施の形態のものと同一であり、遠隔端末識別情報記憶手段１４２及び遠隔操作端末照合手段１４３は第４の実施の形態のものと同一であるため、説明を省略する。
本実施の形態における新たな構成要素として、
図１７に示す遠隔操作端末５は、転送先端末１に対するＩＤ及びパスワードの転送と、転送先端末１のダウンロード情報の確認要求を送信する端末識別情報及びダウンロード確認要求送信手段１５１と、ダウンロード情報を表示するダウンロード情報表示手段１５２と、ダウンロード情報から選択した不必要なダウンロードデータの削除や圧縮または移動等の整理を指示するダウンロード情報整理指示手段１５３とを有する。
また、図１７に示す転送先端末１は、データ記憶手段１１３に記憶されたダウンロード情報を遠隔操作端末５に対して自動的に提供するダウンロード情報送信手段１５４と、データ記憶手段１１３に記憶されている指示したダウンロードデータの削除や圧縮または移動等の整理を行うダウンロード情報整理手段１５５とを有する。
【００５３】
次に、図１８を参照して、本発明の第５の実施の形態におけるダウンロードシステムのダウンロード動作を説明する。
転送先端末１では、遠隔端末識別情報記憶手段１４２において、遠隔操作を許可する遠隔操作端末５のＩＤ及びパスワードを予め登録しておく（Ｓ６１）。
遠隔操作端末５では、端末識別情報及びダウンロード確認要求送信手段１５１から、転送先端末１に対する遠隔操作端末５のＩＤ及びパスワードのダウンロードと、転送先端末１のダウンロード情報の確認要求を送信する（Ｓ６２）。
転送先端末１では、遠隔操作端末照合手段１４３において、遠隔端末識別情報記憶手段１４２に記憶されたＩＤ及びパスワードと、端末識別情報及びダウンロード確認要求送信手段１５１から送信された遠隔操作端末５のＩＤ及びパスワードを照合した後（Ｓ６３）、照合できた場合は、ダウンロード情報送信手段１５４により、データ記憶手段１１３に記憶されたダウンロード情報を遠隔操作端末５に対して自動的に提供する（Ｓ６４）。ダウンロード情報の例としては、過去にダウンロードしたコンテンツ一覧や、現時点でダウンロード可能な残容量、あるいはコンテンツの内容が挙げられる。
【００５４】
また、ｗｅｂブラウザ等を利用して、遠隔操作端末５が、転送先端末１から提供されたコンテンツ一覧から特定のダウンロードデータを選択して、そのダウンロードデータを消去、圧縮あるいは別の端末やメディアに移動させる機能を保有するようにしても構わない。
転送先端末１からダウンロード情報を受けた遠隔操作端末５は、ダウンロード情報表示手段１５２でダウンロード情報を表示し、ダウンロード情報整理指示手段１５３において、ダウンロード情報から選択した不必要なダウンロードデータの削除や圧縮または移動等の整理を指示し（Ｓ６５）、ダウンロードデータの削除や圧縮または移動等の整理の指示を受けた転送先端末１では、ダウンロード情報整理手段１５５において、データ記憶手段に記憶されている指示されたダウンロードデータの削除や圧縮または移動等の整理を行う（Ｓ６６）。
【００５５】
上記のように、本発明の第５の実施の形態によると、転送先端末以外の遠隔操作端末から転送先端末に接続して、転送先端末にダウンロード情報提供指示を送り、転送先端末ではその指示を受けて遠隔操作端末へダウンロード情報を提供することにより、転送先端末以外の端末からでも、転送先端末のダウンロード情報を確認することが可能である。
【００５６】
（第６の実施の形態）
次に、図１９及び図２０を参照して、本発明の第６の実施の形態におけるダウンロードシステムの構成を説明する。
図１９及び図２０において、転送先端末１、インターネットサービスプロバイダのサーバ２、インターネット網３、転送元端末４、コンテンツ及び利用可能日時記憶手段１０１、第１の暗号化手段１０２、暗号化データ及び復号化カギと利用可能日時関連記憶手段１０３、第１のネットワーク接続手段１０４、識別情報記憶手段１０５、データ送信手段１０６、暗号化データ送信判断手段１０７、復号化カギ送信手段１０８、第２のネットワーク接続手段１１１、識別情報送信手段１１２、データ記憶手段１１３、復号化手段１１４は第１の実施の形態のものと同一であるから説明を省略する。
本実施の形態における新たな構成要素として、
図１９に示すダウンロードシステムは、インターネット網を経由して転送元端末４に接続可能な遠隔操作端末５を有する。
また、図２０に示す遠隔操作端末５は、遠隔操作端末５から、転送先端末１の識別情報を転送元端末４へ送信し、転送元端末４から転送先端末１へのダウンロード要求を送信する転送先識別情報ダウンロード要求送信手段としての転送先端末識別情報及びダウンロード要求送信手段１６１を有する。
【００５７】
次に、図２１を参照して、本発明の第６の実施の形態におけるダウンロードシステムのダウンロード動作を説明する。
転送元端末４では、予めコンテンツとその利用可能日時をコンテンツ及び利用可能日時記憶手段１０１に記憶しておき、また、利用日時以前のコンテンツについては、第１の暗号化手段１０２でコンテンツを暗号化して暗号化データとし、暗号化データと暗号化データを復号化する復号化カギの２つのデータに分割し、コンテンツの利用可能日時と関連付けて、暗号化データ及び復号化カギと利用可能日時関連記憶手段１０３に記憶する（Ｓ７１）。
また、転送先端末１は、第２のネットワーク接続手段１１１でインターネット網３に接続して、転送元端末４に対して、予め、識別情報送信手段１１２に記憶された、転送先端末１及び遠隔操作端末６のユーザを認証するためのＩＤ及びパスワードと、転送先端末１のＩＰアドレスを送信しておく（Ｓ７２）。なお、ＩＤ及びパスワードと転送先端末１のＩＰアドレスの登録は、転送先端末１の代わりに、遠隔操作端末５から実施しても構わない。
転送元端末４は、第１のネットワーク接続手段１０４を経由して転送先端末１から届けられた転送先端末１のＩＤ及びパスワードとＩＰアドレスを識別情報記憶手段１０５に記憶する（Ｓ７３）。
【００５８】
次に、遠隔操作端末５は、転送元端末４に接続して、転送先端末識別情報及びダウンロード要求送信手段１６１により、転送先端末１のＩＤ及びパスワードと、転送先端末１へのコンテンツダウンロード要求を送信する（Ｓ７４）。
遠隔操作端末５から第１のネットワーク接続手段１０４を経由してコンテンツのダウンロード要求を受けた転送元端末４は、暗号化データ及び復号化カギと利用可能日時関連記憶手段１０３に記憶された情報を用いて、要求されたコンテンツの利用可能日時チェックを行い（Ｓ７５）、暗号化データをデータ送信手段１０６により転送先端末１にダウンロードするが、利用可能日時以降と判定された場合は、コンテンツそのものを転送先端末１にダウンロードする（Ｓ７６）。
【００５９】
次に、転送先端末１では、データ記憶手段１１３によって、ダウンロードされた暗号化されたコンテンツを端末に蓄積する（Ｓ７７）。
利用可能日時以降、転送先端末１は転送元端末４に接続して、識別情報送信手段１１２に記憶されている転送先端末１のＩＤ及びパスワードを送信する（Ｓ７８）。転送元端末４の暗号化データ送信判断手段１０７は、転送元端末１のＩＤ及びパスワードを確認した後、識別情報記憶手段１０５に記憶されているＩＤ及びパスワードと一致する場合は、コンテンツに対応する復号化カギを選択し（図６の７９）、復号化カギ送信手段１０８から、転送元端末４に記憶されているＩＰアドレスを持つ転送先端末１へ、選択された復号化カギをダウンロードする（Ｓ８０）。
転送先端末１では、転送元端末４から転送された復号化カギを用いて、既にデータ記憶手段１１３に蓄積されている暗号化データを復号化手段１１４において復号化し、コンテンツを復元する（Ｓ８１）。これでコンテンツが利用できるようになる。
【００６０】
上記のように、本発明の第６の実施の形態によると、転送先端末以外の遠隔操作端末から転送元端末に接続して、転送先端末へのダウンロード指示を送り、転送元端末ではその指示を受けて転送元端末から転送先端末へのダウンロードを実行することにより、転送先端末にアクセスできない転送先端末以外の端末からでも、転送元端末から転送先端末へのダウンロードを実行させることが可能となる。
【００６１】
【発明の効果】
本発明におけるダウンロードシステムは、上記のように構成され、特に、利用可能日時以前の大容量コンテンツを予め大容量の暗号化データと小容量の復号化カギに分割し、利用可能日時以前に大容量の暗号化データをダウンロードし、利用可能日時以降に小容量の復号化カギをダウンロードすることにより、大容量コンテンツの利用可能日時直後のダウンロードによるネットワーク負荷を低減し、また、復号化カギを利用可能日時以降に電子メールで配信することにより、利用可能日時直後の転送先端末から転送元端末へのアクセスを低減することができる。
また、本発明におけるダウンロードシステムは、転送先端末以外の遠隔操作端末から転送先端末または転送元端元に接続して、転送先端末または転送元端元に暗号化データ及び復号化カギのダウンロードを実行させるようにしたことにより、転送先端末以外の端末からでも転送先端末または転送元端末に対しダウンロード指示ができることになる。
【図面の簡単な説明】
【図１】本発明の第１の実施の形態におけるダウンロードシステムの構成を示すブロック図、
【図２】本発明の第１の実施の形態における転送元端末の構成を示すブロック図、
【図３】本発明の第１の実施の形態における転送先端末の構成を示すブロック図、
【図４】本発明の第１の実施の形態におけるダウンロードシステムのダウンロード動作を示す流れ図、
【図５】本発明の第２の実施の形態におけるダウンロードシステムの構成を示すブロック図、
【図６】本発明の第２の実施の形態における転送元端末の構成を示すブロック図、
【図７】本発明の第２の実施の形態における転送先端末の構成を示すブロック図、
【図８】本発明の第２の実施の形態におけるダウンロードシステムのダウンロード動作を示す流れ図、
【図９】本発明の第３の実施の形態におけるダウンロードシステムの構成を示すブロック図、
【図１０】本発明の第３の実施の形態における転送元端末の構成を示すブロック図、
【図１１】本発明の第３の実施の形態における転送先端末の構成を示すブロック図、
【図１２】本発明の第３の実施の形態におけるダウンロードシステムのダウンロード動作を示す流れ図、
【図１３】本発明の第４の実施の形態におけるダウンロードシステムの構成を示すブロック図、
【図１４】本発明の第４の実施の形態における転送先端末及び遠隔操作端末の構成を示すブロック図、
【図１５】本発明の第４の実施の形態におけるダウンロードシステムのダウンロード動作を示す流れ図、
【図１６】本発明の第５の実施の形態におけるダウンロードシステムの構成を示すブロック図、
【図１７】本発明の第５の実施の形態における転送先端末及び遠隔操作端末の構成を示すブロック図、
【図１８】本発明の第５の実施の形態におけるダウンロードシステムのダウンロード動作を示す流れ図、
【図１９】本発明の第６の実施の形態におけるダウンロードシステムの構成を示すブロック図、
【図２０】本発明の第６の実施の形態における転送元端末及び遠隔操作端末の構成を示すブロック図、
【図２１】本発明の第６の実施の形態におけるダウンロードシステムのダウンロード動作を示す流れ図、
【図２２】従来の通信型音楽選曲販売システムの構成を示すブロック図、
【図２３】従来のソフトウエアのロードシステム及びロード方法を示すフローチャート、
【図２４】従来のデータ転送方法及びその転送方法を利用したコンテンツ販売システムの構成を示すブロック図。
【符号の説明】
１　転送先端末
２　インターネットサービスプロバイダのサーバ
３　インターネット網
４　転送元端末
５、６　遠隔操作端末
７　日時取得端末
１０１　コンテンツ及び利用可能日時記憶手段
１０２　第１の暗号化手段
１０３　暗号化データ及び復号化カギと利用可能日時関連記憶手段
１０４　第１のネットワーク接続手段
１０５　識別情報記憶手段
１０６　データ送信手段
１０７　暗号化データ送信手段
１０８　復号化カギ送信手段
１１１　第２のネットワーク接続手段
１１２　識別情報送信手段
１１３　データ記憶手段
１１４　復号化手段
１１５　電子メールアドレス送信手段
１２１　電子メールアドレス受信手段
１２２　電子メールアドレス記憶手段
１２３　電子メールアドレス及び暗号化カギ送信手段
１３１　第２の暗号化手段
１３２　暗号化データ記憶手段
１３３　日時取得端末接続手段
１４１　端末識別情報及びダウンロード要求送信手段
１４２　遠隔端末識別情報記憶手段
１４３　遠隔操作端末照合手段
１４４　ダウンロード実行手段
１５１　端末識別情報及びダウンロード確認要求送信手段
１５２　ダウンロード情報を表示するダウンロード情報表示手段
１５３　ダウンロード情報整理指示手段
１５４　ダウンロード情報送信手段
１５５　ダウンロード情報整理手段
１６１　転送先端末識別情報及びダウンロード要求送信手段
【図１】
2004112555.tif 000003
【図２】
2004112555.tif 000004
【図３】
2004112555.tif 000005
【図４】
2004112555.tif 000006
【図５】
2004112555.tif 000007
【図６】
2004112555.tif 000008
【図７】
2004112555.tif 000009
【図８】
2004112555.tif 000010
【図９】
2004112555.tif 000011
【図１０】
2004112555.tif 000012
【図１１】
2004112555.tif 000013
【図１２】
2004112555.tif 000014
【図１３】
2004112555.tif 000015
【図１４】
2004112555.tif 000016
【図１５】
2004112555.tif 000017
【図１６】
2004112555.tif 000018
【図１７】
2004112555.tif 000019
【図１８】
2004112555.tif 000020
【図１９】
2004112555.tif 000021
【図２０】
2004112555.tif 000022
【図２１】
2004112555.tif 000023
【図２２】
2004112555.tif 000024
【図２３】
2004112555.tif 000025
【図２４】
2004112555.tif 000026